(57)【要約】従来技術によるブラシケースを備えた電気的な整流子機械において、取付け舌片を備えた矢筒形のブラシケースは、比較的ルーズにブラシホルダに配置されている。本発明により構成された電気的な整流子機械（１）は、溶接又はろう接によりベース支持体（４４）に固く固定されている矢筒形のブラシケース（１７）を有している。
2004521470.tif 000002
【特許請求の範囲】
【請求項１】
電気的な整流子機械（１）であって、該整流子機械（１）が、整流子（１８）のためのブラシ（２０）に用いられる少なくとも１つの矢筒形のブラシケース（１７）を有しており、該ブラシケース（１７）が導電性の材料から成っており、該ブラシケース（１７）が取付けのための少なくとも１つの舌片（２６）を有している形式のものにおいて、
ブラシケース（１７）が少なくとも１つの電気的なコンタクト舌片（３２）を有しており、該コンタクト舌片（３２）に、電気的な整流子機械（１）の電気的な機能エレメント（２９，３８）が導電接続されていることを特徴とする、電気的な整流子機械。
【請求項２】
電気的な機能エレメントがブラシ撚り線（２９）である、請求項１記載の電気的な整流子機械。
【請求項３】
電気的な機能エレメントが妨害防止チョーク（３８）である、請求項１又は２記載の電気的な整流子機械。
【請求項４】
ブラシケース（１７）がブラシホルダ（１４）に取り付けられている、請求項１記載の電気的な整流子機械。
【請求項５】
電気的な整流子機械（１）であって、該整流子機械（１）がブラシホルダ（１４）を有しており、該ブラシホルダ（１４）が少なくとも１つのベース体（４４）から成っており、さらに該ブラシホルダ（１４）が少なくとも１つの矢筒形のブラシケース（１７）を有しており、該ブラシケース（１７）が、導電性の材料から成っていて、且つ取付けのための少なくとも１つの舌片（２６）を有している形式のものにおいて、
取付けのための前記舌片（２６）が、ベース支持体（４４）に少なくとも部分的に導電接続されていることを特徴とする、電気的な整流子機械。
【請求項６】
少なくとも部分的に非導電性の材料からなるベース支持体（４４）に導電性の支持体（４１）が固定されており、該支持体（４１）がベース支持体（４４）の一部分を形成しており、さらに該支持体（４１）に、取付けのための前記舌片（２６）が結合されている、請求項５記載の電気的な整流子機械。
【請求項７】
ベース支持体（４４）が非導電性の材料から成っており、ベース支持体（４４）が少なくとも部分的に金属のコーティングを有しており、該コーティングに取付けのための舌片（２６）が溶接又はろう接されている、請求項５記載の電気的な整流子機械。
【請求項８】
ブラシケース（１７）が金属から成っている、請求項１又は５記載の電気的な整流子機械。
【請求項９】
ベース支持体（４４）が部分的に非導電性の材料から成っており、取付けのための前記舌片（２６）がベース支持体（４４）に溶接又はろう接されている、請求項５記載の電気的な整流子機械。
【請求項１０】
支持体（４１）が、プラスチックから成るベース支持体（４４）の射出成形時に該ベース支持体（４４）内に埋め込まれている、請求項６記載の電気的な整流子機械。
【請求項１１】
支持体（４１）が少なくとも１つの支持体コンタクト舌片（５３）を有しており、該支持体コンタクト舌片（５３）に、電気的な整流子機械（１）の電気的な機能エレメント（２９，３８）が導電接続されている、請求項６又は１０記載の電気的な整流子機械。
【請求項１２】
電気的な整流子機械（１）の整流子（１８）のためのブラシ（２０）と、少なくとも１つの取付けのための舌片（２６）とを有する、導電性の材料から成る矢筒形のブラシケース（１７）を電気的な整流子機械（１）の少なくとも１つの電気的な機能エレメント（２９，３８）に導電接続するための接続手段において、該接続手段として、前記ブラシケース（１７）に配置された電気的なコンタクト舌片（３２）が使用されていることを特徴とする、矢筒形のブラシケースを電気的な整流子機械の電気的な機能エレメントに導電接続するための手段。
【発明の詳細な説明】
【０００１】
背景技術
本発明は、請求項１の上位概念部及び請求項５の上位概念部に記載の形式の電気的な整流子機械、もしくは請求項１２に記載の、ブラシケースを電気的な整流子機械の電気的な機能エレメントに導電接続するための接続手段に関する。
【０００２】
ドイツ連邦共和国特許出願公開第４２４２７２０号明細書に開示された矢筒形のブラシケースは、打抜き曲げ成形部分として製作されており、且つ絶縁材ディスクに取り付けるための少なくとも１つの舌片と、冷却リブとして働く別の舌片とを有している。取付けのための舌片は絶縁材ディスクに設けられた穴を貫通して案内され、次いで絶縁材ディスクに沿って折り曲げられ、こうして絶縁材ディスクに圧着される。このことは高い振動負荷時に、絶縁材ディスクに取付け固定されたブラシケースの緩みを生ぜしめる。この場合、このブラシケース内に案内されたブラシはもはや所望の通りに電気的な機械の整流子に作用し得なくなる。
【０００３】
ブラシは導電性の撚り線に接続されており、この撚り線は、一般に付加的な溶接フォーク（Ｓｃｈｗｅｉｓｓｇａｂｅｌ）又はガイド内に配置されていて、これにより、高い振動負荷を受けた際に撚り線が過度に強く振動しないようになっている。
【０００４】
発明の利点
これに対して、請求項１もしくは請求項５もしくは請求項１２の特徴部に記載の特徴を有する、本発明による電気的な整流子機械もしくは本発明による接続手段は、電気的な整流子機械の耐振性が簡単に改善されるという利点を有している。
【０００５】
請求項２〜請求項４もしくは請求項６〜請求項１１に記載された手段により、請求項１もしくは請求項５に記載の整流子機械の有利な変化および改良が可能である。
【０００６】
有利には、電気的な機能エレメントとして、直接にブラシケースに接続され得るブラシ撚り線又は妨害防止チョークが使用されるので、別の接続エレメントは必要とならない。
【０００７】
有利には、導電性の支持体が、非導電性の材料から成るベース支持体に固定されており、この場合ブラシケースを取り付けるための舌片は、前記支持体に例えば有利には溶接又はろう接され、これにより耐振的に結合されている。
【０００８】
非導電性の材料から成るブラシホルダのベース支持体は部分的に金属のコーティングを有していてよく、そして該コーティングに有利には取付けのための舌片が溶接又はろう接され、これにより耐振的に結合されている。
【０００９】
支持体は例えばプラスチックから成るベース支持体の射出成形時にベース支持体内に耐振的に配置されている。
【００１０】
以下に図面を参照しながら本発明の実施例につき詳説する。
【００１１】
実施例の説明
図１には、電気的な整流子機械１の構造が例示的に示されており、該整流子機械１は、例えば電気的なモータ又は発電機である。電気的なモータは例えば電気的な作動駆動装置、つまりアクチュエータのために使用され得る。電気的な整流子機械１は少なくとも１つのステータを有しており、ステータは例えば、磁気的な帰路エレメント４と少なくとも１つの磁石５とを有しており、帰路エレメント４は、例えばエンドシールド（Ｌａｇｅｒｓｃｈｉｌｄ）を備えた磁極管（Ｐｏｌｒｏｈｒ）により形成されている。磁石５は磁気的な帰路エレメント４の内面に配置されている。ステータの内部で回転するロータ８は例えば、電気的な巻成体を備えた積層鉄心から成っており、この際、積層鉄心はロータ軸１１に固定されている。巻成体の一部は整流子１８に導電接続されている。整流子１８にはブラシ２０が作用しており、ブラシ２０は外部からの電流を整流子１８に導く。ブラシ２０は矢筒形のブラシケース（Ｂｕｅｒｓｔｅｎｋｏｅｃｈｅｒ）１７内にガイドされる。少なくとも１つのブラシケース１７は例えばブラシホルダ１４に配置されている。しかし、ブラシケース１７は例えばエンドシールドに配置されていてもよい。
【００１２】
図２ａには矢筒形のブラシケース１７が示されている。このブラシケース１７は、例えば打抜き曲げ成形部分として製作されていて、取付けのための少なくとも１つの舌片２６を備えている。舌片２６は例えばブラシホルダ１４に係合する（図示せず）ので、ブラシケース１７はブラシホルダ１４に取り付けられている。この取付けは例えば、舌片２６を、対応してブラシホルダ１４に加工成形された開口に通して案内し、次いで折り曲げることによって行われる。ブラシケース１７内にはブラシ２０、例えば炭素ブラシが案内され、該ブラシ２０は、ブラシケース１７内に位置するばね（図示せず）により整流子１８に押し付けられる（図１）。ブラシ２０にはブラシ撚り線２９が接続されており、ブラシ撚り線２９は電流をブラシ２０に導く。短いブラシ撚り線２９の他方の端部は電気的な接続部３５により、ブラシケース１７に設けられたコンタクト舌片３２に電気的に且つ機械的に固く結合されている。この短いブラシ撚り線２９は、その長さが短いことに基づいて高い耐振性を有しているので、ガイドされたり保持されなくて済む。ブラシ撚り線２９は電気的な整流子機械１の電気的な機能エレメントを形成している。何故ならば、この撚り線を通って電流が流れるからである。
【００１３】
図２ｂには、本発明により形成された電気的な整流子機械１のブラシケース１７の別の実施例が示されている。図２ａで示したブラシケース１７に対して付加的に、図２ｂのブラシケース１７は第２のコンタクト舌片３２を有しており、第２のコンタクト舌片３２には、例えば妨害防止手段として働くノイズ除去チョーク（Ｅｎｔｓｔｏｅｒｄｒｏｓｓｅｌ）３８が、電気的な整流子機械１の電気的な機能エレメントとして接続されている。それ故、ノイズ除去チョーク３８とブラシ撚り線２９との間の付加的な接続エレメントを不要にすることができる。
【００１４】
図３ａには、ブラシケース１７と支持体４１とが示されている。支持体４１は３つの舌片を有している。３つの舌片の内の２つは支持体取付け舌片４７を形成しており、第３の舌片は支持体コンタクト舌片５３を形成している。支持体取付け舌片４７はブラシケース１７の舌片２６に、例えばろう接又は溶接により結合されている。これにより、支持体４１とブラシケース１７との間に、耐振性のある機械的で電気的な結合が形成されている。
【００１５】
支持体４１とブラシケース１７とは一体的に製作されていてもよい。
【００１６】
図３ｂには、ブラシケース１７が、これに取付けられた支持体４１と共に、ブラシホルダ１４にどのように配置されているかが示されている。
【００１７】
ブラシホルダ１４は少なくとも、例えばプラスチック又はセラミックスのような非導電性の材料から成るベース支持体４４により構成されている。前記支持体４１は、例えばベース支持体４４をプラスチックで射出成形する際にベース支持体４４内に埋め込まれており、それゆえベース支持体４４に固定的に配置されている。支持体４１をベース支持体４４に別の方法で固定することもできる。ベース支持体４４のプラスチックが支持体４１を部分的に包囲しているので、支持体４１は部分的にしか認識できない。支持体４１の輪郭は破線により暗示してある。
【００１８】
例えばリング状のベース支持体４４の面には、支持体４１の３つの舌片４７，５３が突出している。支持体コンタクト舌片５３には例えば電気的な機能エレメントとして電気的なノイズ除去チョーク３８が接続されている。支持体４１は例えば金属から成るので、ノイズ除去チョーク３８とブラシケース１７との間の電気的な接続が形成される。整流子機械１の駆動部への電流は例えばノイズ除去チョーク３８と、支持体コンタクト舌片５３と、支持体４１とを介してブラシケース１７へ流れる。ブラシケース１７においてコンタクト舌片３２にブラシ撚り線２９が固定されており（図２）、ブラシ撚り線２９が電流をブラシ２０へ導入する。
【００１９】
ブラシケース１７は、射出成形時にプラスチックにより支持体４１が包囲された後で、支持体取付け舌片４７に固定されてもよい。
【００２０】
図４には、電気的な整流子機械１のためのブラシホルダ１４の別の実施例が示されている。ベース支持体４４は、支持体４１を有しておらず、例えば金属のコーティングを施した突起５０を有しているにすぎないので、ブラシケース１７の舌片２６は、コーティングを施した突起５０に溶接又はろう接され得る。
【００２１】
特に舌片２６を、ベース支持体４４に固定的に配置されたエレメント４７，５０とろう接又は溶接することにより、ブラシケース１７をブラシホルダ１４のベース支持体４４に耐振的に取り付けることが可能である。
【図面の簡単な説明】
【図１】
電気的な整流子機械を示す図である。
【図２ａ】
本発明により構成された整流子機械のためのブラシを備えたブラシケースを示す図である。
【図２ｂ】
本発明により構成された整流子機械のためのブラシを備えたブラシケースの別の実施形態を示す図である。
【図３ａ】
ブラシケースに結合された支持体を示す図である。
【図３ｂ】
図３ａに示した支持体を備えたブラシケースを、本発明により構成された整流子機械のためのブラシホルダに配置した図である。
【図４】
本発明により構成された整流子機械のためのブラシホルダを示す図である。
【国際公開パンフレット】
2004521470.tif 000003
2004521470.tif 000004
2004521470.tif 000005
2004521470.tif 000006
2004521470.tif 000007
2004521470.tif 000008
2004521470.tif 000009
2004521470.tif 000010
2004521470.tif 000011
2004521470.tif 000012
2004521470.tif 000013
2004521470.tif 000014
2004521470.tif 000015
2004521470.tif 000016
2004521470.tif 000017
2004521470.tif 000018
2004521470.tif 000019
【国際調査報告】
2004521470.tif 000020
2004521470.tif 000021
2004521470.tif 000022
2004521470.tif 000023